(57)【特許請求の範囲】
【請求項１】
ラベルの表面における基片部分は小容器の胴部に巻き付ける表示片部分となり、この基片部分の一方に封印部分と、それから突出して設けた吊り下げ部分を設け、基片部分との間には切り取り線を設け、吊り下げ部分には、吊り下げ用の切り欠き部を穿設し、一方、ラベルの裏面には、前記基片部分は糊付部、封印部分は非接着部とし、吊り下げ部分は糊無し部分としたことを特徴とする吊り下げ用ラベル。
【請求項２】
切り欠き部は、下方において吊り下げ部分に連なり、上方の部分は三ツの山形が形成されて、吊り下げ部分から遊離されていることを特徴とする請求項１記載の吊り下げ用ラベル。
【請求項３】
突出して設けた吊り下げ部分の裏面などに、万引き防止用のタグを内蔵または貼り付けたことを特徴とする請求項１、請求項２いずれかに記載の吊り下げ用ラベル。
【発明の詳細な説明】
【０００１】
【発明の属する技術分野】
この発明は、商品などを吊り下げるのに用いるところの、吊り下げ用ラベルに関するものである。
【０００２】
【従来の技術】
従来、細長い小容器に入った品物、たとえば文房具におけるステイック糊、化粧品における口紅・リップクリーム容器などを販売するに当たって、スーパーマーケットなどで取られる手段として  、図１（イ）、（ロ）に示すように対象の小容器（Ａ）を、ブリスター包装と云われるところの、台紙（２）上にその小容器（Ａ）を置いて、その上から透明なプラスチック材（１）を小容器（Ａ）の形に添い、被せるように包装して内容物が見えるようにし、台紙（２）に設けた吊り下げ孔（３）を、陳列個所に設置した吊り下げ用バー（Ｂ）［後述参照］に通して、多数並べ販売しているのが現状である。
【０００３】
【発明が解決しようとする課題】
この発明は、小容器などに入った商品を販売するに当たり使用されるところの、表示、包装、封印、陳列用手段を具備した吊り下げ用ラベルを提供し、さらにその一部に万引き防止用のタグを、内蔵させまたは貼り付けるなどして施すことを目的とする。
【０００４】
【課題を解決するための手段】
ラベル（Ｒ），（Ｒ’）の表面における基片部分（４）は小容器の胴部に巻き付ける表示片部分となり、この基片部分（４）の一方に封印部分（５）と、それから突出して設けた吊り下げ部分（６），（６’）を設け、基片部分（４）との間には切り取り線（７）を設け、吊り下げ部分（６），（６’）には、吊り下げ用の切り欠き部（８）を穿設し、一方、ラベル（Ｒ），（Ｒ’）の裏面には、前記基片部分（４）は糊付部（９）、封印部分（５）は非接着部（９’）とし、吊り下げ部分（６），（６’）は糊無し部分（９”）としたことを特徴とする吊り下げ用ラベル、切り欠き部（８）は、下方において吊り下げ部分（６），（６’）に連なり、上方の部分は三ツの山形が形成されて、吊り下げ部分（６），（６’）から遊離されていることを特徴とする前記記載の吊り下げ用ラベル、および突出して設けた吊り下げ部分（６），（６’）の裏面などに、万引き防止用のタグ（Ｔ）を内蔵または貼り付けたことを特徴とする前記記載の吊り下げ用ラベルの構成とする。
【０００５】
【発明の実施の形態】
発明の実施の形態を実施例に例に基づき図面を参照して説明する。図２（イ）はこの発明のラベル（Ｒ）の表面であり、基片部分（４）は小容器の胴部に巻き付ける表示片部分となり、ここにおいて品名、効能書、メーカーなどの表示が印刷などで施される。基片部分（４）の一方は封印部分（５）と、それから突出して設けた吊り下げ部分（６）とからなり、基片部分（４）との間には切り取り線（７）を設ける。吊り下げ部分（６）には、吊り下げ用の切り欠き部（８）が穿設されている。この切り欠き部（８）は、図示のように下方において吊り下げ部分（６）に連なり、上方の部分は三ツの山形が形成されて吊り下げ部分（６）から遊離されている。（５’）は開封の際のつまみ［持ち手］である。
【０００６】
図２（ロ）は前記ラベル（Ｒ）の裏面を示し、基片部分（４）とその上の一部は糊部（９）、封印部分（５）は糊殺し部（９’）［非接着部分］、吊り下げ部分（６）は糊無し部（９”）となっている。つぎに図３（イ）はこのラベル（Ｒ）を、小容器（Ａ）に用いる際に巻き付ける状態を示し、図３（ロ）、図３（ハ）は巻き付けを終わった状態をそれぞれ異なる方向から見た図である。そして図３（ニ）に示すようにように、陳列個所などに設置した吊り下げ用バー（Ｂ）に吊り下げ用の切り欠き部（８）を通して、販売に備える。その際、この切り欠き部（８）は、その上方の部分の三ツの山形の部分が、その中心で引っ掛かることにより安定する。
【０００７】
すなわち図４はその原理を説明する図であり、ラベル（Ｒ）を貼り付けた小容器（Ａ）において、矢印ａ［荷重］，矢印ｂ［荷重に対する支点反力］，ｃ［支点反力；ラベルが戻ろうとする力］，ｄ［支点に対して働くモーメント；傾こうとする力］で示す力の方向の作用により、吊り下げ用バー（ｂ）に通った切り欠き部（８）の、上方の部分の三ツの山形の真ん中が、常に中心となって位置することとなる。なお商品を購入して使用するには、つまみ（５’）を切り取り線（７）に沿って引っ張ることにより開封される。
【０００８】
図５は他の実施例を示し、図２と同様の例において、大型の吊り下げ部分（６’）を持ったラベル（Ｒ’）であり、この部分においても、多くの表示などを施すことができる。
【０００９】
さらにこの発明では前記の吊り下げ部分（６），（６’）の裏面に、万引き防止用のタグ（ｔ）を貼り付けたり、また内蔵［つり下げ部分（６），（６’）を構成する合成樹脂製片に印刷が施されており、それらの中間層にタグ（ｔ）を挿入し、積層する］したりして、このタグ（ｔ）を用いた商品の万引きを防止するものである。ここに用いるタグ（ｔ）について以下説明する。このタグ（ｔ）は共振回路を有するが、まずこの共振回路の作動原理について説明する。図６（ａ）は共振回路（Ｘ）［台紙上に構成してある］の説明図であって、コイル（Ｃｏ）とコンデンサー（Ｃ）から構成された閉回路であり、それぞれの共振回路（Ｘ１），（Ｘ２），……として、固有の共振周波数をもっている。図６（ｂ）はスキャナー（Ｓ）で、アンテナ（Ｔ）とスキャナー本体（ｅ）から構成され、アンテナ（Ｔ）から電磁波（Ｗ）を発信し、共振する周波数をもつ共振回路に応答する。すなわち図７（ａ）において、スキャナー（Ｓ）より共振回路（Ｘ１）に向けて電磁波（Ｗ）が放射される。共振回路（Ｘ１）の周波数が一致すると、共振回路（Ｘ１）は受けた電磁波（Ｗ）に共振して、図７（ｂ）に示すようにエコー波（Ｗ’）を発信する。スキャナー（Ｓ）はエコー波（Ｗ’）を受信し、所定の周波数の共振回路（Ｘ１）の存在を認識する。
【００１０】
つぎにこのタグ（ｔ）の一例について説明すると、図８（ａ），図８（ｂ）［図８（ａ）の厚み方向において、各構成要素を分離して示す図］において示すのは、この発明の用いる前記ラベル（Ｒ），（Ｒ’）などの吊り下げ部分（６），（６’）などの裏面などに内蔵または貼り付けるところの、前記所定の共振回路（Ｘｎ）をもつタグ（ｔ）である。それは基材（９）において、その表面（１０）は印刷（Ｐ）などの可能な面とし、その下面（１１）にコイル（Ｃｏ）となる回路部（１２）を設け、ラミネートフィルム（Ｌ）を介して、回路部（１２）に接続するコンデンサー（Ｃ）を設け、それらの上に粘着剤層（１３）を設け、セパレーター（１４）を配置した構成である。このようなタグ（ｔ）は前述の共振回路（Ｘｎ）を内蔵しており、回路部（１２）におけるコイル（Ｃｏ）と、コンデンサー（Ｃ）からなる閉回路を形成し、予め定めた固有の共振周波数を有するように構成する。図９に示すように、このタグ（ｔ）をラベル（Ｒ），（Ｒ’）などのつり下げ部分（６），（６’）などに貼っておく［図９図示はラベル（Ｒ’）の例を示す］。一方、販売店の出口にはゲートを設け、それには前記したようなアンテナ（Ｔ）とスキャナー本体（ｅ）が取り付けられて構成されており、このアンテナ（Ｔ）から電磁波（Ｗ）を発信し、共振する周波数を有する前記タグ（ｔ）の有無を検出する。
【００１１】
万引きされた商品を持った人が、販売店の出口に設置してあるゲートを通ると、予め定めておいた固有の共振周波数を有するタグ（ｔ）と、それに共振するスキャナー（Ｓ）で検出する。それは図９に示すようなタグ（ｔ）を貼ったラベル（Ｒ’）を持つ商品に向けて、スキャナー（Ｓ）より電磁波（Ｗ）を放射する。タグ（ｔ）は周波数が一致すると、受けた電磁波（Ｗ）に共振してエコー波（Ｗ’）を発信する。スキャナー（Ｓ）はこのエコー波（Ｗ’）を受信し、所定の周波数のタグ（ｔ）を認識することにより、それを感知して別途、警告を発する。これにより万引きのケースの発見、対応に処することとなる。このような周波数は一種のみでなく、必要に応じて複数の同一または異なった周波数を組み合わせることにより、多種類で複雑な認識による検知が行われる。またこのようにゲートと、それに反応（共振）するタグからなる方式は、他に磁気によるもの、マイクロ波によるものなどがある。なお正常に販売員のいる精算所（レジ）を通過する商品については、精算の際にタグを回収したり、タグの持つ機能を消去したりすることにより対応することとなる。
【００１２】
【発明の効果】
この発明の吊り下げラベルは、小容器などに入った商品を販売するに当たりその外面に巻き付けて、包装、封印、表示、陳列用吊り下げ手段が同時に得られ、また万引き防止策を施したラベルとなるものであり、これにより従来におけるこの種の対象物品の包装において著しく簡素化、省資源を行うことができ、包装工程の省略化を図ることとなる。とくにこの吊り下げラベルにおいては、吊り下げ用の切り欠き部（８）の上方部分に、三ツの山形状の部分を設け、それを陳列用の吊り下げバーに引っ掛けることにより、常に安定した吊り下げ状態が得られる。さらにこの発明では、前記のつり下げラベルの吊り下げ部分（６），（６’）の裏面などに、万引き防止用のタグ（ｔ）を貼り付けたり、または内蔵したりして、これを使用する商品の万引きを防止することが可能とするものである。
【図面の簡単な説明】
【図１】従来の小容器の包装状態を説明する図。
【図２】この発明の吊り下げ用ラベルの平面図と裏面図。
【図３】この発明の吊り下げ用ラベルの貼り付けと陳列状態を説明する図。
【図４】この発明の吊り下げ用ラベルのつり下げ時の作用を説明する図。
【図５】この発明の吊り下げ用ラベルの他の実施例を示す図。
【図６】この発明に関する共振回路とスキャナーとの説明図。
【図７】この発明に関する共振回路とスキャナーとの作動説明図。
【図８】この発明のタグの裏面図と、その構成の説明図。
【図９】この発明のつり下げ用ラベルに、タグを適用した状態を示す図。
【符号の説明】
（Ａ）  小容器
（Ｂ）  吊り下げ用バー
（１）  プラスチック材
（２）  台紙
（３）  吊り下げ孔
（Ｒ），（Ｒ’）  ラベル
（４）  基片部分
（５）  封印部分
（５’）  つまみ
（６），（６’）  吊り下げ部分
（７）  切り取り線
（８）  切り欠き部
（９）  糊部
（９’）  糊殺し部
（９”）  糊無し部
（ｔ）  タグ
【図１】
0004359801.tif 000002
【図２】
0004359801.tif 000003
【図３】
0004359801.tif 000004
【図４】
0004359801.tif 000005
【図５】
0004359801.tif 000006
【図６】
0004359801.tif 000007
【図７】
0004359801.tif 000008
【図８】
0004359801.tif 000009
【図９】
0004359801.tif 000010